(57)【要約】【課題】  本発明は、２つの回路基板の配線を接続する基板接続ケーブルと電子機器とを近接に配設しても高いアンテナ性能を維持することができ、小型化に好適な２筐体型携帯無線機を提供することを目的とする。【解決手段】  本発明の２筐体型携帯無線機は、第１の筐体９と、第２の筐体１０と、前記第１の筐体９と前記第２の筐体１０とを開閉可能に連結する連結部５と、前記第１の筐体９内に配設される第１の回路基板７と、前記第２の筐体１０内に配設される第２の回路基板８と、前記連結部５に近接して配設され、前記第１の回路基板７の配線と前記第２の回路基板８の配線とを電気的に接続するケーブル４と、前記第２の筐体１０の前記連結部側端部に配設されるアンテナ部１と、前記第２の筐体１０の前記連結部側端部に、前記ケーブル４に近接して配設される第３の要素３とを備え、前記第３の要素３は、前記第２の回路基板８と電気的に接続され、前記第３の要素３のグランドは、前記ケーブル４のグランドと高周波的に導通しているとともに、前記第２の回路基板８のグランドと高周波的に導通しているものである。【選択図面】図１  
2006005706.tif 000002
【特許請求の範囲】
【請求項１】
第１の筐体と、
第２の筐体と、
前記第１の筐体と前記第２の筐体とを開閉可能に連結する連結部と、
前記第１の筐体内に配設される第１の回路基板と、
前記第２の筐体内に配設される第２の回路基板と、
前記連結部に近接して配設され、前記第１の回路基板の配線と前記第２の回路基板の配線とを電気的に接続するケーブルと、
前記第２の筐体の前記連結部側端部に配設されるアンテナ部と、
前記第２の筐体の前記連結部側端部に、前記ケーブルに近接して配設される第３の要素とを備え、
前記第３の要素は、前記第２の回路基板と電気的に接続され、
前記第３の要素のグランドは、前記ケーブルのグランドと高周波的に導通しているとともに、前記第２の回路基板のグランドと高周波的に導通している２筐体型携帯無線機。
【請求項２】
請求項１記載の２筐体型携帯無線機であって、
前記ケーブルと前記第３の要素間に配設される導体を備え、
前記導体は、前記ケーブルのグランド、前記第３の要素のグランド、及び前記第２の回路基板のグランドと高周波的に導通している２筐体型携帯無線機。
【請求項３】
請求項１又は２記載の２筐体型携帯無線機であって、
前記第３の要素のグランドは、前記第３の要素に近接する前記第２の回路基板の端部のうち、相対的に前記第２の回路基板に配設されたアンテナ給電部に近い側の端部において、前記第２の回路基板のグランドと高周波的に導通している２筐体型携帯無線機。
【発明の詳細な説明】
【技術分野】
【０００１】
本発明は、携帯電話機やＰＨＳ（Personal Handyphone System）などの２筐体型携帯無線機に関する。
【背景技術】
【０００２】
携帯電話機が広く普及し、各種様々なタイプのものが開発されている。例えば、筐体部分が単純な棒状のストレート型や、使用しないときには上下２つの筐体を折畳んで携帯性を高めたコンパクトな折畳型などの携帯電話機が知られている。折畳型携帯電話機は、１つの回路基板で構成されるストレート型の携帯電話機とは異なり、ヒンジ部に連結して開閉可能に回動する上下２つの筐体の内部に各々回路基板を備え、その回路基板の配線を電気的に接続する基板接続ケーブルにより、回路基板間の信号の送受や給電を行うよう構成されている。
【０００３】
上述の折畳型携帯電話機の中には、アンテナが、ヒンジ部側の下筐体端部から上方に突出するよう構成されたものが知られている。一般に、下筐体から上筐体に向けて上方に突出するよう折畳型携帯電話機に設けられたアンテナは、上下の筐体を開いて使用する場合、上筐体内部の回路基板と電磁界結合してその回路基板を励振させるため、高いアンテナ性能を有する。
【０００４】
ところで、近年、携帯電話機にカメラを備えたカメラ付携帯電話機も開発され、折畳型携帯電話機に関しては、ヒンジ部にカメラを配設したものが知られている。ここで、上述の基板接続ケーブルもまたヒンジ部を通過するよう配設しているため、カメラと基板接続ケーブルとを近接して配設することになる。多くの場合、カメラ底面側のグランド面と基板接続ケーブルとを近接して配設している。
【０００５】
しかし、折畳型携帯電話機において、カメラ底面側のグランド面と基板接続ケーブルとを近接に配設することは、アンテナ性能を低下させてしまう。このアンテナ性能を低下させる原因を、図５に示す従来の２軸ヒンジタイプの折畳型携帯無線機の背面図、及び、図６に示す側面図を参照して説明する。
【０００６】
２軸ヒンジタイプの折畳型携帯無線機では、基板接続ケーブル４は、２軸ヒンジ部５各々を通過し、上下の筐体９、１０内各々の上下の回路基板７、８の配線に接続される。上下の筐体９、１０の厚さが増大するのを避けるため、ヒンジ部５近傍にカメラ３を配設すると、基板接続ケーブル４は、図６に示すように、ヒンジ部５とカメラ３との間に挟まれ、下筐体１０の厚さが減少するほど、基板接続ケーブル４はカメラ３に近接することになる。
【０００７】
図５に示すように、カメラ３は、下回路基板８に配設された接続端子３２、及び接続端子３２に接続されたカメラ接続ケーブル３１を介して下回路基板８に接続され、カメラ接続ケーブル３１内のグランド線により、下回路基板８のグランドに接続されている。このため、カメラ３底面側のグランド面を流れるグランド電流の電磁界の作用を受けて、カメラ３のグランド面に近接して配設した基板接続ケーブル４にもグランド電流が流れ込み、下回路基板８から上回路基板７に流れるグランド電流が増大することとなる。その結果、ヒンジ部側の下筐体端部から上方に突出するよう配設されたアンテナ１の励振により上回路基板７に生じる電流と、カメラ３のグランド面を流れるグランド電流からの電磁界の作用を受けて下回路基板８から上回路基板７に流れ込んだ電流とが干渉現象を起こしてしまい、上下の筐体９、１０を開いて使用するとき、アンテナ１の性能が低下してしまう。
【０００８】
図３に、従来の携帯電話機のＶＳＷＲ特性を示す。曲線αは、ヒンジ部近傍にカメラを配設していない携帯電話機のＶＳＷＲ特性を示し、曲線βは、ヒンジ部近傍にカメラを配設した携帯電話機のＶＳＷＲ特性を示す。図３を参照して、この干渉現象によるアンテナ性能の低下を確認する。なお、この図３では、使用周波数を９００ＭＨｚとし、横軸を周波数（ＭＨｚ）、縦軸をＶＳＷＲ（Voltage Standing Wave Ratio；電圧定在波比）とした。
【０００９】
良好なアンテナ特性を得るための要件の一つであるＶＳＷＲ＜３（反射波が５０％以下となる）を満たす周波数帯域の幅を見てみると、曲線αのヒンジ部近傍にカメラを配設していない携帯電話機についてのＶＳＷＲ特性では、４５０ＭＨｚ以上の帯域幅を有するが、曲線βのヒンジ部近傍にカメラを配設した携帯電話機についてのＶＳＷＲ特性では、３５０ＭＨｚまでその帯域幅が減少している。このことから、ヒンジ部近傍にカメラを配設した携帯電話機は、アンテナ性能が低下することが確認できる。
【００１０】
ヒンジ部近傍にカメラを配設することによるアンテナ性能の低下を抑えるために、次の２種類の手法が知られている。第１の手法は、カメラ３と基板接続ケーブル４との距離を離すことである。例えば、カメラ３と基板接続ケーブル４との距離を２０ｍｍにすることにより、ヒンジ部近傍にカメラを配設していない状態と略同等の帯域を得ることができる。
【００１１】
第２の手法は、地線と呼ばれる別素子を基板上に追加することである(例えば、特許文献１参照)。地線が、回路基板を流れるグランド電流を利用し、アンテナとは異なる共振周波数（共振するのはグランド電流）を発生させることで、アンテナの周波数帯域幅を拡大し、アンテナ性能を向上させることができる。
【特許文献１】特開２０００−１３１１８号公報（図３、図５）
【発明の開示】
【発明が解決しようとする課題】
【００１２】
しかしながら、第１の手法では、カメラ３と基板接続ケーブル４との距離を確保する必要があるために、筐体の形状を大きくしなければならず、また、第２の手法では、一般に地線による共振帯域幅は狭く、地線を用いてアンテナの共振帯域幅を拡大させるためには、地線の面積を拡大するか、或いは、地線を基板から離す必要があり、第１、２の手法ともアンテナ性能の向上と携帯電話機の小型化の両立が困難である。
【００１３】
本発明は、上記事情に鑑みてなされたもので、２つの回路基板の配線を接続する基板接続ケーブルと電子機器とを近接に配設しても高いアンテナ性能を維持することができ、小型化に好適な２筐体型携帯無線機を提供することを目的とする。
【課題を解決するための手段】
【００１４】
本発明の２筐体型携帯無線機は、第１の筐体と、第２の筐体と、前記第１の筐体と前記第２の筐体とを開閉可能に連結する連結部と、前記第１の筐体内に配設される第１の回路基板と、前記第２の筐体内に配設される第２の回路基板と、前記連結部に近接して配設され、前記第１の回路基板の配線と前記第２の回路基板の配線とを電気的に接続するケーブルと、前記第２の筐体の前記連結部側端部に配設されるアンテナ部と、前記第２の筐体の前記連結部側端部に、前記ケーブルに近接して配設される第３の要素とを備え、前記第３の要素は、前記第２の回路基板と電気的に接続され、前記第３の要素のグランドは、前記ケーブルのグランドと高周波的に導通しているとともに、前記第２の回路基板のグランドと高周波的に導通しているものである。
【００１５】
この構成によれば、２つの回路基板の配線を接続するケーブルを介して第２の回路基板から第１の回路基板に流れる電流が減少するため、ケーブルに第３の要素を近接に配接しても高いアンテナ性能を維持することができ、また、アンテナ性能向上のために余分なスペースを必要としない。
【００１６】
また、本発明の２筐体型携帯無線機は、前記ケーブルと前記第３の要素間に配設される導体を備え、前記導体が、前記ケーブルのグランド、前記第３の要素のグランド、及び前記第２の回路基板のグランドと高周波的に導通しているものを含む。
【００１７】
この構成によれば、２つの回路基板の配線を接続するケーブル、第３の要素、及び第２の回路基板の位置関係によらず、容易にケーブルのグランド、第３の要素のグランド、及び第２の回路基板のグランドと高周波的に導通させることができる。
【００１８】
また、本発明の２筐体型携帯無線機は、前記第３の要素のグランドが、前記第３の要素に近接する前記第２の回路基板の端部のうち、相対的に前記第２の回路基板に配設されたアンテナ給電部に近い側の端部において、前記第２の回路基板のグランドと高周波的に導通しているものを含む。
【００１９】
この構成によれば、２つの回路基板の配線を接続するケーブルを介して第２の回路基板から第１の回路基板に流れる電流が大きく減少するため、より高いアンテナ性能を維持することができる。
【発明の効果】
【００２０】
本発明の２筐体型携帯無線機によれば、２つの回路基板の配線を接続する基板接続ケーブルと電子機器とを近接に配設しても高いアンテナ性能を維持することができ、アンテナ性能向上のために余分なスペースを必要とせず小型化に好適である。
【発明を実施するための最良の形態】
【００２１】
以下、本発明の実施の形態について、図面を参照して詳細に説明する。
本発明の実施の形態の２軸ヒンジタイプの折畳型携帯無線機の背面図を図１に示し、側面図を図２に示す。
【００２２】
本発明の実施の形態の折畳型携帯無線機は、上筐体９内部に配設された上回路基板７、下筐体１０内部に配設された下回路基板８、上筐体９及び下筐体１０を３次元的に回動可能に連結するヒンジ部５、ヒンジ部５内部を通過して配設され、上回路基板７の配線と下回路基板８の配線とを電気的に接続する基盤接続ケーブル４、ヒンジ部５近傍に配設した、画像を撮影するカメラ３、さらに、基板接続ケーブル４とカメラ３との間に配設された接続板金６、を含んで構成される。
【００２３】
上筐体９は、図示外の液晶表示部（ＬＣＤ）及び図示外の受話部（レシーバ）などを含む。下筐体１０は、ヒンジ部側の端部に設けたアンテナ１、図示外の制御回路を含む各種の回路、例えば整合回路２及び図示外の無線部など、及び図示外の操作部、送話部（スピーカ）、を含む。
【００２４】
カメラ３は、下回路基板８に配設された接続端子３２、及び接続端子３２に接続されたカメラ接続ケーブル３１を介して下回路基板８に接続され、カメラ接続ケーブル３１内のグランド線により、下回路基板８のグランドに接続されている。アンテナ１は、ヒンジ部側の下回路基板８の端部に接続され、下回路基板８上の整合回路２を介して図示外の無線部に接続されている。本発明の実施の形態の折畳型携帯無線機のアンテナに使用する周波数帯域は、９００ＭＨｚを用いている。
【００２５】
接続板金６は、図２に示すように、カメラ３底面側のグランド面に近接して配設される第１結合面６１と、基板接続ケーブル４に近接して配設される第２結合面６２と、アンテナ１周辺の下回路基板８のグランドに近接して配設される第３結合面６３と、を含んで構成される。
【００２６】
第１結合面６１は、カメラ３のグランド面に近接して配設されることにより、カメラ３のグランド面を流れるグランド電流からの電磁界の作用を受けて起電流が発生する。通常、カメラ３のグランド面はカメラ底面に配設されるので、本実施形態では、結合面６１をカメラ３の底面に近接して配設している。
【００２７】
第２結合面６２は、基板接続ケーブル４に近接して配設されることにより、基板接続ケーブル４のグランド線を流れるグランド電流からの電磁界の作用を受けて起電流が発生する。
【００２８】
第３結合面６３は、アンテナ１給電部周辺の下回路基板８のグランドに近接して配設されることにより、第１結合面６１に発生した起電流が、第３結合面６３を介して、アンテナ１給電部周辺の下回路基板８のグランドに流れる。
【００２９】
なお、第１結合面６１とカメラ３のグランド面との間隔は、短いほどアンテナ性能が向上する知見を得ているが、１ｍｍ以下であることが好ましい。また、第１結合面６１は、カメラ３に接触する（ＤＣ接続する）ようにしてもよい。
【００３０】
また、第２結合面６２と基板接続ケーブル４との間隔、及び、第３結合面６３とアンテナ１給電部周辺の下回路基板８のグランドとの間隔は、第１結合面６１とカメラ３のグランド面との間隔同様に、１ｍｍ以下であることが好ましい。また、第２結合面６２及び第３結合面６３は、基板接続ケーブル４のグランド線及びアンテナ１給電部周辺の下回路基板８のグランドに、それぞれ接触する（ＤＣ接続する）ようにしてもよい。
【００３１】
本発明の実施の形態の折畳型携帯無線機によれば、接続板金とカメラのグランド面とを物理的に接続・固定するための手段、例えばグランドピンなどの追加素子（追加部材）が不要であるため、容易に接続板金を折畳型携帯無線機に配設することができる。また、接続板金はカメラのグランド面と同程度の形状であれば良く、また、グランド面に近接して配設することができるため、折畳型携帯無線機を小型化することができる。
【００３２】
次に、接続板金６を基板接続ケーブル４とカメラ３との間に配設することにより、本発明の実施の形態の折畳型携帯無線機が高いアンテナ性能を維持することができる原理を以下に説明する。
【００３３】
図２に示す、カメラ３の底面に設けられたグランド面と第１結合面６１とを近接して配設する構成により、カメラ３のグランド面に発生したグランド電流からの電磁界の作用を受けて第１結合面６１に発生した起電流が、第３結合面６３の方向に流れる。このため、カメラ３のグランド面を流れる電流の一部が、第１結合面６１、第３結合面６３を介して、アンテナ１給電部周辺の下回路基板８のグランドに流れることになる。
【００３４】
また、基板接続ケーブル４と第２結合面６２とを近接して配設する構成により、基板接続ケーブル４のグランド線に発生したグランド電流からの電磁界の作用を受けて第２結合面６２に発生した起電流が、第１結合面６１を介して第３結合面６３の方向に流れる。このため、基板接続ケーブル４のグランド線を流れる電流の一部が、第１結合面６１、第２結合面６２及び第３結合面６３を介して、アンテナ１給電部周辺の下回路基板８のグランドに流れることになる。
【００３５】
このため、カメラ３のグランド面から基板接続ケーブル４に流れ込む電流が減少し、また、基板接続ケーブル４のグランド線を流れるグランド電流が減少する。その結果、アンテナ１の励振により上回路基板７に生じる電流と、基板接続ケーブル４を介して下回路基板８から上回路基板７に流れ込むグランド電流との干渉が小さくなり、上筐体９、下筐体１０を開いたときに高いアンテナ性能を得ることができる。
【００３６】
図４に、本発明の実施の形態の携帯無線機のＶＳＷＲ特性を示す。曲線βは、接続板金を配設していない携帯無線機のＶＳＷＲ特性を示し、曲線γは、接続板金を配設した折畳型携帯無線機を示す。図４を参照して、本発明の実施の形態の折畳型携帯無線機が接続板金６を配設したことにより高いアンテナ性能を得ることができることを示す。なお、この図４において、曲線βは、図３のヒンジ部近傍にカメラを配設した携帯無線機のＶＳＷＲ特性の曲線βと同一のものを示す。
【００３７】
アンテナ特性が良好であるための一つの条件であるＶＳＷＲ＜３以下を満たす周波数帯域幅は、図４から分かるように、接続板金６を配設していない場合には凡そ３５０ＭＨｚであったのが、接続板金６を配設することにより、凡そ４００ＭＨｚまで増大していることが分かる。このことから、本発明の実施の形態の接続板金を配設した折畳型携帯無線機が高いアンテナ性能を有することを確認できる。
【００３８】
なお、本発明の実施の形態では、折畳型携帯無線機に設けたカメラは、カメラのグランド面をカメラ底面側に配設しているものについて説明してきたが、カメラのグランド面をカメラ底面側以外に配設しているもの、例えばカメラ側面側に配設しているものの場合は、基板接続ケーブルとカメラ側面のグランド面との間に接続板金の第１結合面を配設するようにしてもよい。また、このように接続板金を配設する場合にも、前述したように、第１結合面とカメラのグランド面との間隔は、１ｍｍ以下であることが好ましく、また、第１結合面は、カメラに接触する（ＤＣ接続する）ようにしてもよい。
【００３９】
また、本発明の実施の形態では、第３結合面をアンテナ給電部周辺の下回路基板８のグランドに近接して配設するようにしたが、カメラに近接する下回路基板の端部のうち、下回路基板に配設されたアンテナ給電部に近い側において、下回路基板８のグランドに近接して配設するようにしてもよい。
【００４０】
また、本発明の実施の形態では、ヒンジ部近傍にカメラを配設するようにしたが、カメラに限定されるものではない。
【００４１】
本発明は上述した実施の形態に何ら限定されるものではなく、その要旨を逸脱しない範囲において種々の形態で実施し得るものである。
【産業上の利用可能性】
【００４２】
本発明の２筐体型携帯無線機は、２つの回路基板の配線を接続する基板接続ケーブルと電子機器とを近接に配設しても高いアンテナ性能を維持することができ、アンテナ性能向上のために余分なスペースを必要とせず小型化に好適であるという効果を有し、携帯電話機やＰＨＳ（Personal Handyphone System）などの２筐体型携帯無線機に関して有用である。
【図面の簡単な説明】
【００４３】
【図１】本発明の実施の形態の２軸ヒンジタイプの折畳型携帯無線機の背面図
【図２】本発明の実施の形態の２軸ヒンジタイプの折畳型携帯無線機の側面図
【図３】従来の折畳型携帯無線機のＶＳＷＲ特性
【図４】本発明の実施の形態の折畳型携帯無線機のＶＳＷＲ特性
【図５】従来の２軸ヒンジタイプの折畳型携帯無線機の背面図
【図６】従来の２軸ヒンジタイプの折畳型携帯無線機の側面図
【符号の説明】
【００４４】
１  アンテナ
２  整合回路
３  カメラ
４  基板接続ケーブル
５  ヒンジ部
６  接続板金
７  上回路基板
８  下回路基板
９  上筐体
１０  下筐体
３１  カメラ接続ケーブル
３２  接続端子
５１  ヒンジ台座
６１  第１結合面
６２  第２結合面
６３  第３結合面
【図１】
2006005706.tif 000003
【図２】
2006005706.tif 000004
【図３】
2006005706.tif 000005
【図４】
2006005706.tif 000006
【図５】
2006005706.tif 000007
【図６】
2006005706.tif 000008